(57)【特許請求の範囲】
【請求項１】
液晶表示装置に画像を表示させるためのデータ電圧を出力するデータドライバ、を含む液晶表示装置の駆動装置であり、
前記データドライバは、
外部で生成された複数のガンマ基準電圧を受信し、受信した前記複数のガンマ基準電圧をサンプリングしてＲ、Ｇ、Ｂ別に出力するサンプル／ホールディング部、及び、
前記サンプル／ホールディング部から出力されたＲ、Ｇ、Ｂ別のガンマ基準電圧に基づいて、Ｒ、Ｇ、Ｂの各色の画像データをアナログ電圧に変換して前記データ電圧として出力するデジタル−アナログ変換器、
を含み、
前記サンプル／ホールディング部は、前記複数のガンマ基準電圧を並列に受信する複数のサンプル／ホールド回路部を含み、
前記サンプル／ホールド回路部は、サンプル開始信号に応じてガンマ基準電圧のサンプリングを開始し、前記サンプリングが終わると別のサンプル開始信号を他のサンプル／ホールド回路部に伝達し、
前記複数のガンマ基準電圧は、第１極性のガンマ基準電圧及び第２極性のガンマ基準電圧を含み、
前記サンプル／ホールディング部は、
前記第１極性のガンマ基準電圧をサンプリングしてＲ、Ｇ、Ｂ別に前記デジタル−アナログ変換器に出力する第１極性のサンプル／ホールディング部、及び、
前記第２極性のガンマ基準電圧をサンプリングしてＲ、Ｇ、Ｂ別に前記デジタル−アナログ変換器に出力する第２極性のサンプル／ホールディング部、
を含む、液晶表示装置の駆動装置。
【請求項２】
前記第１極性のサンプル／ホールディング部と前記第２極性のサンプル／ホールディング部との各々は、Ｒ、Ｇ、Ｂ別に３つのサンプル／ホールド回路部を含み、
前記３つのサンプル／ホールド回路部の各々は、
前記サンプル開始信号に応じてオンオフしてガンマ基準電圧の出力を制御するスイッチ、
前記スイッチを経由して入力される前記ガンマ基準電圧を保存するキャパシタ、及び、
前記キャパシタに保存されたガンマ基準電圧を、サンプリングされたガンマ基準電圧として出力するバッファ、
を含む、請求項１に記載の液晶表示装置の駆動装置。
【請求項３】
前記第１極性のサンプル／ホールディング部と前記第２極性のサンプル／ホールディング部との各々は、Ｒ、Ｇ、Ｂ別に３つのサンプル／ホールド回路部を含み、
前記３つのサンプル／ホールド回路部の各々は、サンプル開始信号に応じてガンマ基準電圧のサンプリングを開始し、前記サンプリングが終わると別のサンプル開始信号を他のサンプル／ホールド回路部に伝達する、請求項１に記載の液晶表示装置の駆動装置。
【請求項４】
液晶表示装置に画像を表示させるためのデータ電圧を出力するデータドライバ、を含む液晶表示装置の駆動装置であり、
前記データドライバは、
外部で生成された複数のガンマ基準電圧を受信し、受信した前記複数のガンマ基準電圧をサンプリングしてＲ、Ｇ、Ｂ別に出力するサンプル／ホールディング部、及び、
前記サンプル／ホールディング部から出力されたＲ、Ｇ、Ｂ別のガンマ基準電圧に基づいて、Ｒ、Ｇ、Ｂの各色の画像データをアナログ電圧に変換して前記データ電圧として出力するデジタル−アナログ変換器、
を含み、
前記サンプル／ホールディング部は、前記複数のガンマ基準電圧を並列に受信する複数のサンプル／ホールド回路部を含み、
前記サンプル／ホールド回路部は、サンプル開始信号に応じてガンマ基準電圧のサンプリングを開始し、前記サンプリングが終わると別のサンプル開始信号を他のサンプル／ホールド回路部に伝達し、
前記複数のガンマ基準電圧は、直列に受信されるＲガンマ基準電圧、直列に受信されるＧガンマ基準電圧、及び直列に受信されるＢガンマ基準電圧を含み、
前記サンプル／ホールディング部は、
前記直列に受信されるＲガンマ基準電圧をサンプリングして前記デジタル−アナログ変換器に出力するＲサンプル／ホールディング部、
前記直列に受信されるＧガンマ基準電圧をサンプリングして前記デジタル−アナログ変換器に出力するＧサンプル／ホールディング部、及び、
前記直列に受信されるＢガンマ基準電圧をサンプリングして前記デジタル−アナログ変換器に出力するＢサンプル／ホールディング部、
を含み、
前記Ｒサンプル／ホールディング部、前記Ｇサンプル／ホールディング部、及び、前記Ｂサンプル／ホールディング部の各々は、
第１極性のガンマ基準電圧を順次サンプリングして出力すると共に、サンプル開始信号を出力する第１極性のサンプル／ホールド回路部、及び、
前記第１極性のサンプル／ホールド回路部から出力されたサンプル開始信号に応じて、第２極性のガンマ基準電圧を順次サンプリングして出力する第２極性のサンプル／ホールド回路部、
を含む、液晶表示装置の駆動装置。
【請求項５】
前記複数のサンプル／ホールド回路部の各々は、
サンプル開始信号を隣接するサンプル／ホールド回路に伝達するシフトレジスタ、
隣接するサンプル／ホールド回路から受信されたサンプル開始信号に応じてオンオフしてガンマ基準電圧の出力を制御するスイッチ、
前記スイッチを経由して入力されるガンマ基準電圧を保存するキャパシタ、及び、
前記キャパシタに保存されたガンマ基準電圧を、サンプリングされたガンマ基準電圧として出力するバッファ、
を含む、
請求項１または４に記載の液晶表示装置の駆動装置。
【発明の詳細な説明】
【技術分野】
【０００１】
本発明は液晶表示装置の駆動装置に関する。
【背景技術】
【０００２】
通常の液晶表示装置（LCD、liquid crystal display）は共通電極と色フィルターアレイなどが備えられている上部表示板と複数の薄膜トランジスタ（TFT、thin film transistor）と複数の画素電極が備えられている下部表示板を含む。上部表示板及び下部表示板には配向膜が塗布されており、配向膜の間には液晶層が挿入されている。画素電極と共通電極に電圧を印加すると二つの電極の間に電位差が生じて電場が生成され、この電場を調節することによって液晶層の液晶分子の配列を変える。液晶分子の配列が変化すると、液晶層を通過する光の透過率が変わるので所望の画像を得ることができる。
【０００３】
このような液晶表示装置において、一般的にデータドライバは、シフトレジスタ、データレジスタ、データラッチ、Ｄ/Ａコンバータ及び出力バッファを含む。データドライバは、タイミング制御部からドットクロックに合せて順次に入るＲＧＢ各々のデータをラッチし、点順次方式のタイミング体系を線順次方式に変更して液晶パネルのデータ線にデータ電圧を出力する。この時、Ｄ/Ａコンバータは外部から入力されるガンマ基準電圧（ＶＧＭＡ１，．．．，ＶＧＭＡ１８）を基準にしてデータラッチから入力されるＲＧＢデータをアナログ電圧に変換する。
【発明の概要】
【発明が解決しようとする課題】
【０００４】
しかし、通常の液晶表示装置では、Ｒ、Ｇ、Ｂ各々の画素の電気光学的特性が異なるにもかかわらず、電気光学的特性が同一であるという仮定下で同一な信号を使用している。このような結果により、階調別色感が一定でなかったり、一方に激しく偏る場合が生ずる。
【０００５】
前記のような問題点を解決するために、データドライバにＲ、Ｇ、Ｂ別に独立したガンマ基準電圧を提供することができる。しかし、このような方法はデータドライバのピン数を既存より３６個も増加させ、データドライバのサイズが増加するという問題点が生じる。また、Ｒ、Ｇ、Ｂ別に独立したガンマ基準電圧を生成するためにガンマ基準電圧を生成する部分が３つのブロックに増え、外部回路の増加と共にデータドライバが実装されるＰＣＢの面積増加によって液晶表示装置の製造単価が増加するという問題点がある。
【０００６】
本発明が目的とする技術的課題は、Ｒ、Ｇ、Ｂ別に独立したガンマ基準電圧を生成して液晶表示装置の画質を改善することである。
【課題を解決するための手段】
【０００７】
このような課題を解決するために、本発明の一例による液晶表示装置の駆動装置は、液晶表示装置に画像を表示させるためのデータ電圧を出力するデータドライバ、を含む液晶表示装置の駆動装置であり、前記データドライバは、外部で生成された複数のガンマ基準電圧を受信し、受信した前記複数のガンマ基準電圧をサンプリングしてＲ、Ｇ、Ｂ別に出力するサンプル／ホールディング部、及び、前記サンプル／ホールディング部から出力されたＲ、Ｇ、Ｂ別のガンマ基準電圧に基づいて、Ｒ、Ｇ、Ｂの各色の画像データをアナログ電圧に変換して前記データ電圧として出力するデジタル−アナログ変換器を含み、前記サンプル／ホールディング部は、前記複数のガンマ基準電圧を並列に受信する複数のサンプル／ホールド回路部を含み、前記サンプル／ホールド回路部は、サンプル開始信号に応じてガンマ基準電圧のサンプリングを開始し、前記サンプリングが終わると別のサンプル開始信号を他のサンプル／ホールド回路部に伝達し、前記複数のガンマ基準電圧は、第１極性のガンマ基準電圧及び第２極性のガンマ基準電圧を含み、前記サンプル／ホールディング部は、前記第１極性のガンマ基準電圧をサンプリングしてＲ、Ｇ、Ｂ別に前記デジタル−アナログ変換器に出力する第１極性のサンプル／ホールディング部、及び、前記第２極性のガンマ基準電圧をサンプリングしてＲ、Ｇ、Ｂ別に前記デジタル−アナログ変換器に出力する第２極性のサンプル／ホールディング部、を含む。
【０００８】
本発明の参考例による液晶表示装置は、Ｒ、Ｇ、Ｂ別デジタルガンマデータを出力するタイミング制御部とデータドライバを含む。データドライバはデジタルガンマ保存部、ガンマ基準電圧生成部及びデジタル−アナログ変換器を含む。デジタルガンマ保存部はタイミング制御部からのデジタルガンマデータを保存し、ガンマ基準電圧生成部は保存されたデジタルガンマデータに基づいて画像データをアナログ電圧に変換する時に用いられるガンマ基準電圧をＲ、Ｇ、Ｂ別に独立してに生成する。デジタル−アナログ変換器は生成されたガンマ基準電圧に基づいてＲ、Ｇ、Ｂ各々の画像データをアナログ電圧に変換して出力する。
【０００９】
この時、ガンマ基準電圧生成部はＲ、Ｇ、Ｂ別デジタルガンマデータの提供を各々受けてアナログ変換する多数のＤＡＣを含むのが好ましい。
【００１０】
本発明の別の参考例による液晶表示装置はタイミング制御部、ガンマ基準電圧生成部及びデータドライバを含む。タイミング制御部はＲ、Ｇ、Ｂ別デジタルガンマデータを出力し、ガンマ基準電圧生成部はタイミング制御部からのデジタルガンマデータをアナログに変換してガンマ基準電圧を生成する。データドライバはガンマ基準電圧生成部からのガンマ基準電圧をサンプル/ホールディング処理した後、サンプルされたガンマ基準電圧を出力するサンプル/ホールディング部、及びサンプルされたガンマ基準電圧に基づいてＲ、Ｇ、Ｂ各々の画像データをアナログ電圧に変換して出力するデジタル−アナログ変換器を含む。
【発明の効果】
【００１１】
以上のように、本発明によってデータドライバが、Ｒ、Ｇ、Ｂ各々のガンマ基準電圧を利用してＲ、Ｇ、Ｂ各々のガンマ電圧を有するように構成できるので色温度及び色座標などを所望の通り調整することができる。
【００１２】
また、このような色温度や色座標の調整を通じて液晶の特性やカラーフィルターによって制限された色相表現をさらに多様に具現することができる。
【００１３】
また、タイミング制御部からデジタルガンマ値の伝達を受けるのでフレーム別に新たなガンマを適用することができるので、動映像でも動的輝度比を高めて躍動的な画面を得ることができる。もちろん、このような駆動集積回路を適用するとタイミング制御部も変更するのが好ましい。つまり、電源が入る時、データドライバにＲ、Ｇ、Ｂ各々のガンマ値をデジタル形態で伝送することが好ましく、また、躍動的な画面を見るためには入力される画面のデータを分析してガンマ値を調整できるようにガンマ値を送るのが好ましい。
【図面の簡単な説明】
【００１４】
【図１】本発明の実施例におけるデータドライバの概略的な平面図である。
【図２】図１のガンマ基準電圧生成部の内部構造を示す図面である。
【図３】本発明の第１実施例によるデータドライバの一部平面図である。
【図４】本発明の第２実施例によるデータドライバの一部平面図である。
【図５】本発明の第２実施例によるガンマ基準電圧生成部のサンプル/ホールド回路部を示す図面である。
【図６】本発明の第３実施例によるデータドライバの一部平面図である。
【図７】本発明の第４実施例によるデータドライバの一部平面図である。
【図８】本発明の第４実施例によるガンマ基準電圧生成部のサンプル/ホールド回路部を示す図面である。
【図９】本発明の第５実施例によるデータドライバの一部平面図である。
【図１０】本発明の第６実施例によるデータドライバの一部平面図である。
【図１１】本発明の第７実施例によるデータドライバの一部平面図である。
【図１２】本発明の他の実施例によるガンマ基準電圧生成部のサンプル/ホールド回路部を示す図面である。
【図１３】本発明の第８実施例によるデータドライバの一部平面図である。
【図１４】本発明の第９実施例によるデータドライバの一部平面図である。
【図１５】本発明の第１０実施例によるデータドライバの一部平面図である。
【図１６】本発明の第１１実施例によるデータドライバの一部平面図である。
【図１７】本発明の第１２実施例によるデータドライバの一部平面図である。
【図１８】本発明の第１３実施例によるデータドライバの一部平面図である。
【発明を実施するための形態】
【００１５】
以下、添付した図面を参考として本発明の実施例について本発明の属する技術分野における通常の知識を有する者が容易に実施できるように詳細に説明する。しかし、本発明は多様に相異した形態で具現することができ、ここで説明する実施例に限るものではない。また、明細書全体において類似した部分については同一の図面符号を使用した。
【００１６】
次に、本発明の実施例による液晶表示装置及びその駆動装置について図面を参考として詳細に説明する。
【００１７】
まず、図１及び図２を参照して本発明の実施例によるデータドライバ及びガンマ基準電圧生成部について説明する。
【００１８】
図１は本発明の実施例によるデータドライバの概略的な平面図であり、図２は本発明の実施例によるガンマ基準電圧生成部を示す図面である。
【００１９】
図１に示すように、本発明の実施例によるデータドライバ１０はガンマレジスタ１００、ガンマ基準電圧生成部２００、シフトレジスタ３００、データレジスタ４００、データラッチ５００、デジタル−アナログ変換部６００及び出力バッファ７００を含む。シフトレジスタ３００はタイミングコントローラ（図示せず）から伝送されるＲ、Ｇ、Ｂデータ（Ｄ０[７:０]−Ｄ５[７:０]）をシフトしながらデータレジスタ４００に保存する。デジタル−アナログ変換部６００はデータレジスタ４００に保存されたデータ信号をデータラッチ５００を経て受信し、これをアナログ階調電圧値に変換する。出力バッファ７００はデジタル−アナログ変換部６００から出力されるアナログ階調電圧を保存し、ロッド信号を受信するとアナログ階調電圧を複数のデータ線に印加する。そして、ガンマレジスタ１００はＲ、Ｇ、Ｂ別デジタルガンマデータを保存し、ガンマ基準電圧生成部２００はガンマレジスタ１００に保存された値に基づいてＲ、Ｇ、Ｂ各々のガンマ基準電圧を生成してデジタル−アナログ変換部６００に出力する。
【００２０】
図２に示すように、ガンマレジスタ１００はタイミング制御部（図示せず）からデータバスを通じてデジタルガンマデータを受信し、ガンマロード（ＧＭＡ＿ｌｏａｄ）信号によってこのデジタルガンマデータを保存する。ガンマ基準電圧生成部２００は外部の二つの電源（ＡＶＤＤ、ＧＮＤ）に連結されており、ガンマレジスタ１００を通じて入力されたカラー別及び極性別デジタルガンマデータをアナログ値に変換して正/負極性ガンマ基準電圧をデジタル−アナログ変換部６００に出力する。
【００２１】
以下、本発明の実施例によるガンマ基準電圧生成部について図面を参照して詳しく説明する。本発明の実施例では、ガンマ基準電圧生成部２００が提供を受けるデジタルガンマデータを、例えば９×２×３つ、つまり、正極性のＲ、Ｇ、Ｂデジタルガンマデータ（ＤV1R−ＤV9R、ＤV1G−ＤV9G、ＤV1B−ＤV9B）及び負極性のＲ、Ｇ、Ｂデジタルガンマデータ（ＤV10R−ＤV18R、ＤV10G−ＤV18G、ＤV10B−ＤV18B）であると仮定して説明するが、これに限らずいくつかのデジタルガンマデータの提供を受ける場合にも適用できる。
【００２２】
まず、図３を参照して本発明の第１実施例によるガンマ基準電圧生成部について説明する。
【００２３】
図３は本発明の第１実施例によるガンマ基準電圧生成部を示す図面である。
【００２４】
図３に示したように、本発明の第１実施例によるガンマ基準電圧生成部２００は各々正極性及び負極性ガンマ電圧出力のための正極性及び負極性ガンマ基準電圧生成部２１０、２４０を含む。
【００２５】
この時、ガンマ基準電圧生成部２００はガンマレジスタ１００からＲ、Ｇ、Ｂ各々のデジタルガンマデータを同時に受信し、各々のＤＡＣ（２２１−２２３、２５１−２５３）が該当するガンマ基準電圧を生成する。この時、ガンマ基準電圧生成部２００がＲ、Ｇ、Ｂガンマ基準電圧を生成するためには、Ｒ、Ｇ、Ｂデジタルガンマデータに一対一で対応する個数のＤＡＣ（２２１−２２３、２５１−２５３）がガンマ基準電圧生成部２００に形成されなければならない。例えば、本発明の第１実施例によるガンマ基準電圧生成部２００は９×２×３つのＤＡＣを含むのが好ましい。
【００２６】
詳しく説明すると、正極性ガンマ基準電圧生成部２１０はＲ、Ｇ、Ｂに対して各々９つのデジタル−アナログ変換器（以下、ＤＡＣとする）（２２１−２２３）を含み、ＤＡＣ（２２１−２２３）は各々正極性のＲ、Ｇ、Ｂデジタルガンマデータ（ＤV1R−ＤV9R、ＤV1G−ＤV9G、ＤV1B−ＤV9B）をアナログに変換して正極性のＲ、Ｇ、Ｂガンマ基準電圧（Ｖ1R−Ｖ9R、Ｖ1G−Ｖ9G、Ｖ1B−Ｖ9B）を生成する。同様に負極性ガンマ基準電圧生成部２４０もＲ、Ｇ、Ｂに対して各々９つのＤＡＣ（２５１−２５３）を含み、負極性のＲ、Ｇ、Ｂデジタルガンマデータ（ＤV10R−ＤV18R、ＤV10G−ＤV18G、ＤV10B−ＤV18B）を負極性のＲ、Ｇ、Ｂガンマ基準電圧（Ｖ10R−Ｖ18R、Ｖ10G−Ｖ18G、Ｖ10B−Ｖ18B）に変換する。
【００２７】
ＤＡＣ（２２１−２２３、２５１−２５３）で生成された正極性及び負極性のＲ、Ｇ、Ｂガンマ基準電圧（Ｖ1R−Ｖ9R、Ｖ1G−Ｖ9G、Ｖ1B−Ｖ9B、Ｖ10R−Ｖ18R、Ｖ10G−Ｖ18G、Ｖ10B−Ｖ18B）はデジタル−アナログ変換部６００に出力され、デジタル−アナログ変換部６００は正極性及び負極性のＲ、Ｇ、Ｂガンマ基準電圧に基づいてデータラッチ５００で入力される各々のＲ、Ｇ、Ｂ画像データ（Ｒ０、Ｇ０、Ｂ０、Ｒ１、Ｇ１、Ｂ１、．．．）をアナログ電圧に変換する。
【００２８】
しかし、このようなガンマ基準電圧生成部２００に含まれるＤＡＣの個数を本発明の第１実施例より減らすことができ、次にこのような実施例について図４乃至図１２を参照して説明する。
【００２９】
まず、図４及び図５を参照して本発明の第２実施例によるガンマ基準電圧生成部について説明する。
【００３０】
図４は本発明の第２実施例によるガンマ基準電圧生成部を示す図面であり、図５は本発明の第２実施例によるガンマ基準電圧生成部に含まれるサンプル/ホールド回路部を示す図面である。
【００３１】
図４に示したように、本発明の第２実施例によるガンマ基準電圧生成部２００も第１実施例でのように正極性及び負極性ガンマ基準電圧生成部２１０、２４０を含み、正極性及び負極性ガンマ基準電圧生成部２１０は各々ＤＡＣ部２２０、２５０及びサンプル/ホールディング部２３０、２６０を含む。
【００３２】
ＤＡＣ部２２０はＲ、Ｇ、Ｂ別に時分割されて入力される正極性のデジタルガンマデータ（ＤV1R−ＤV9R、ＤV1G−ＤV9G、ＤV1B−ＤV9B）を各々アナログに変換して正極性のＲ、Ｇ、Ｂガンマ基準電圧（Ｖ1R−Ｖ9R、Ｖ1G−Ｖ9G、Ｖ1B−Ｖ9B）を生成する９つのＤＡＣを含む。サンプル/ホールディング部２３０はＤＡＣ部２２０で生成された正極性のＲ、Ｇ、Ｂガンマ基準電圧（Ｖ1R−Ｖ9R、Ｖ1G−Ｖ9G、Ｖ1B−Ｖ9B）を各々サンプリングするためのサンプル/ホールド回路部（Ｓ/ＨＩ）（２３１−２３３）を含む。同様にＤＡＣ部２５０はＲ、Ｇ、Ｂ別に時分割されて入力される負極性のデジタルガンマデータ（ＤV10R−ＤV18R、ＤV10G−ＤV18G、ＤV10B−ＤV18B）を各々アナログに変換して負極性のＲ、Ｇ、Ｂガンマ基準電圧（Ｖ10R−Ｖ18R、Ｖ10G−Ｖ18G、Ｖ10B−Ｖ18B）を生成する９つのＤＡＣを含む。サンプル/ホールディング部２６０はＤＡＣ部２５０で生成された負極性のＲ、Ｇ、Ｂガンマ基準電圧（Ｖ10R−Ｖ18R、Ｖ10G−Ｖ18G、Ｖ10B−Ｖ18B）を各々サンプリングするためのサンプル/ホールド回路部（Ｓ/ＨＩ）（２６１−２６３）を含む。
【００３３】
詳しく説明すると、Ｒサンプル/ホールド回路部２３１はアナログ変換されて入力される正極性のＲガンマ基準電圧（Ｖ1R−Ｖ9R）をサンプリングしてデジタル−アナログ変換部６００に出力する。デジタル−アナログ変換部６００はサンプリングされた正極性のＲガンマ基準電圧（Ｖ1R−Ｖ9R）に基づいてデータラッチ５００で入力される各々のＲ画像データ（Ｒ０、Ｒ１、．．．）をアナログ電圧に変換する。同様に、Ｇ及びＢサンプル/ホールド回路部２３２、２３３は各々正極性のＧ及びＢガンマ基準電圧（Ｖ1G−Ｖ9G、Ｖ1B−Ｖ9B）をサンプリングしてデジタル−アナログ変換部６００に出力する。そして、負極性のガンマ基準電圧生成部２４０のＤＡＣ部２５０及びサンプル/ホールディング部２６０は負極性のＲ、Ｇ、Ｂデジタルガンマデータ（ＤV10R−ＤV18R、ＤV10G−ＤV18G、ＤV10B−ＤV18B）をアナログ変換して負極性のＲ、Ｇ、Ｂガンマ基準電圧（Ｖ10R−Ｖ18R、Ｖ10G−Ｖ18G、Ｖ10B−Ｖ18B）を生成し、これをサンプリングしてデジタル−アナログ変換部６００に出力するという点を除けば正極性のガンマ出力部２１０のＤＡＣ部２２０及びサンプル/ホールディング部２３０と同一に機能する。
【００３４】
そして、サンプル/ホールディング部２３０、２６０のサンプル/ホールド回路部２３１−２３３、２６１−２６３のうちの1つのサンプル/ホールド回路部２３１について図５を参照して詳しく説明する。サンプル/ホールド回路部２３１はＤＡＣ部２２０の９つのＤＡＣから入力される正極性のＲガンマ基準電圧を各々サンプリングする９つのサンプル/ホールド回路を含む。各サンプル/ホールド回路はスイッチ（ＳＷ）、キャパシタ（Ｃ１）及びバッファ（ｂｕｆ）からなる。サンプル開始信号によってスイッチ（ＳＷ）が点灯されると、ＤＡＣから入力されるガンマ基準電圧はキャパシタ（Ｃ１）に保存されながらサンプリングされ、サンプリングされたガンマ基準電圧はアナログバッファを通じてデジタル−アナログ変換部６００に出力される。
【００３５】
以上で説明したように、本発明の第２実施例によるとガンマ基準電圧生成部２００に備わるＤＡＣの個数は９+９、つまり、１８個であるので、本発明の第１実施例に比べて１/３に減少する。
【００３６】
本発明の第２実施例では正極性及び負極性について別途のＤＡＣ部を使用したが、正極性及び負極性を全て支援するＤＡＣ部を用いることができる。以下このような実施例について図６を参照して説明する。
【００３７】
図６は本発明の第３実施例によるガンマ基準電圧生成部を示す図面である。
【００３８】
図６に示したように、本発明の第３実施例によるガンマ基準電圧生成部２００は正極性及び負極性のデジタルガンマデータに対して同一なＤＡＣ部２２０を使用するという点を除けば第２実施例と同一である。
【００３９】
詳しく説明すると、ＤＡＣ部２２０は９つのＤＡＣからなっており、Ｒ、Ｇ、Ｂ及び極性別に時分割されて順次に入力される正極性のＲ、Ｇ、Ｂデジタルガンマデータ（ＤV1R−ＤV9R、ＤV1G−ＤV9G、ＤV1B−ＤV9B）と負極性のＲ、Ｇ、Ｂデジタルガンマデータ（ＤV10R−ＤV18R、ＤV10G−ＤV18G、ＤV10B−ＤV18B）をアナログ変換して正極性及び負極性のＲ、Ｇ、Ｂガンマ基準電圧（Ｖ1R−Ｖ9R、Ｖ1G−Ｖ9G、Ｖ1B−Ｖ9B、Ｖ10R−Ｖ18R、Ｖ10G−Ｖ18G、Ｖ10B−Ｖ18B）を生成する。また、ＤＡＣ部２２０は正極性及び負極性のＲ、Ｇ、Ｂガンマ基準電圧を各々サンプル/ホールディング部２３０及びサンプル/ホールディング部２６０に出力する。そして、このようなサンプル/ホールディング部２３０、２６０は各々本発明の第２実施例で説明したサンプル/ホールディング部２３０、２６０と同一である。
【００４０】
このように本発明の第３実施例によると、ガンマ基準電圧生成部２００に備わるＤＡＣの個数は９つであるので、本発明の第１実施例に比べて１/６に減少する。
【００４１】
本発明の第２及び第３実施例において、タイミング制御部（図示せず）がＲ、Ｇ、ＢデジタルガンマデータをＲ、Ｇ、Ｂ別に時分割して順次に入力するので、ＤＡＣ部にはデジタルガンマデータに一対一で対応するＤＡＣが形成される。しかし、Ｒ、Ｇ、Ｂ各々の１８個のデジタルガンマデータを順次に入力させることができる。以下このような実施例について図面を参照して詳しく説明する。
【００４２】
まず、図７及び図８を参照して本発明の第４実施例によるガンマ基準電圧生成部について説明する。
【００４３】
図７は本発明の第４実施例によるガンマ基準電圧生成部を示す図面であり、図８は本発明の第４実施例によるガンマ基準電圧生成部に含まれるサンプル/ホールド回路部を示す図面である。
【００４４】
図７に示したように、本発明の第４実施例によるガンマ基準電圧生成部２００も第１実施例でのように正極性及び負極性ガンマ基準電圧生成部２１０、２４０を含む。正極性ガンマ基準電圧生成部２１０は正極性のＲ、Ｇ、Ｂデジタルガンマデータ（ＤV1R−ＤV9R、ＤV1G−ＤV9G、ＤV1B−ＤV9B）に各々対応する３つのＤＡＣ（２２１−２２３）及び各ＤＡＣ（２２１−２２３）に連結されたサンプル/ホールド回路部（Ｓ/ＨII）（２３１−２３３）を含む。同様に、負極性ガンマ基準電圧生成部２４０は負極性のＲ、Ｇ、Ｂデジタルガンマデータ（ＤV10R−ＤV18R、ＤV10G−ＤV18G、ＤV10B−ＤV18B）に各々対応する３つのＤＡＣ（２５１−２５３）及び３つのサンプル/ホールド回路部（Ｓ/ＨII）（２６１−２６３）を含む。
【００４５】
この時、図７に示したように正極性及び負極性のＲ、Ｇ、Ｂデジタルガンマデータ（ＤV1R−ＤV9R、ＤV1G−ＤV9G、ＤV1B−ＤV9B、ＤV10R−ＤV18R、ＤV10G−ＤV18G、ＤV10B−ＤV18B）はタイミング制御部からＲ、Ｇ、Ｂ及び極性別に直列化されて、各々のＤＡＣ（２２１−２２３）、（２５１−２５３）に入力される。ＤＡＣ（２２１−２２３）、（２５１−２５３）はこのデジタルガンマデータを各々アナログに変換し、アナログ変換された正極性及び負極性のガンマ基準電圧（Ｖ1R−Ｖ9R、Ｖ1G−Ｖ9G、Ｖ1B−Ｖ9B、Ｖ10R−Ｖ18R、Ｖ10G−Ｖ18B、Ｖ10B−Ｖ18B）を各々サンプル/ホールド回路部２３１−２３３、２６１−２６３に直列に出力する。サンプル/ホールド回路部２３１−２３３、２６１−２６３は正極性及び負極性のガンマ基準電圧（Ｖ1R−Ｖ9R、Ｖ1G−Ｖ9G、Ｖ1B−Ｖ9B、Ｖ10R−Ｖ18R、Ｖ10G−Ｖ18B、Ｖ10B−Ｖ18B）を各々サンプリングしてデジタル−アナログ変換部６００に出力する。
【００４６】
図５で説明した本発明の第２及び第３実施例によるサンプル/ホールド回路部２３１−２３３、２６１−２６３は９つのガンマ基準電圧を同時にサンプリングして出力したが、本発明の第４実施例によるサンプル/ホールド回路部２３１−２３３、２６１−２６３は直列に入力されるガンマ基準電圧を順次にサンプリングして出力する。詳しくは、図８に示したように1つのサンプル/ホールド回路部２３１はＤＡＣ２２１の出力に連結された９つのサンプル/ホールド回路を含む。サンプル/ホールド回路はＤＡＣから入力されるガンマ基準電圧の出力をオン／オフスイッチングするスイッチ（ＳＷ）、スイッチ（ＳＷ）を経由して入力されるガンマ基準電圧を保存するキャパシタ（Ｃ１）、キャパシタ（Ｃ１）に保存されたガンマ基準電圧をデジタル−アナログ変換部６００に出力するアナログバッファ（ｂｕｆ）、及びスイッチのオン／オフを制御するサンプル開始信号を次のサンプル/ホールド回路に伝達するシフトレジスタ（Ｓ/Ｒ）からなる。
【００４７】
このようなサンプル/ホールド回路部２３１では、シフトレジスタ（Ｓ/Ｒ）を通じてサンプル開始信号がシフトされることにより、ＤＡＣ２２１から入力されるガンマ基準電圧が順次に出力される。
【００４８】
このように本発明の第４実施例ではガンマ基準電圧生成部２００は正極性及び負極性のＲ、Ｇ、Ｂに対してＤＡＣを一つずつ使用して合計６つのＤＡＣを使用するので、本発明の第２実施例に比べてＤＡＣの個数が１/３に減る。
【００４９】
本発明の第４実施例ではＲ、Ｇ、Ｂ及び極性別に1つのＤＡＣを使用したが、極性に関係なくＤＡＣを使用することができる。以下ではこのような実施例について図９を参照して説明する。
【００５０】
図９は本発明の第５実施例によるガンマ基準電圧生成部を示す図面である。
【００５１】
図９に示したように、本発明の第５実施例によるガンマ基準電圧生成部２００は各々Ｒ、Ｇ、Ｂガンマ基準電圧を出力するためのＲ、Ｇ及びＢガンマ基準電圧生成部２１０ｒ、２１０ｇ、２１０ｂを含む。Ｒ、Ｇ、Ｂガンマ基準電圧生成部２１０ｒ、２１０ｇ、２１０ｂは各々ＤＡＣ２２０ｒ、２２０ｇ、２２０ｂとサンプル/ホールディング部２３０ｒ、２３０ｇ、２３０ｂを含み、サンプル/ホールディング部２３０ｒ、２３０ｇ、２３０ｂには各々２つのサンプル/ホールド回路部（Ｓ/ＨII’）[（２３１ｒ、２３２ｒ）、（２３１ｇ、２３２ｇ）、（２３１ｂ、２３２ｂ）]が形成されている。ＤＡＣ２２０ｒ、２２０ｇ、２２０ｂはタイミング制御部から直列に受信したＲ、Ｇ、Ｂデジタルガンマデータ（ＤV1R−ＤV18R、ＤV1G−ＤV18G、ＤV1B−ＤV18B）を各々アナログに変換し、アナログ変換されたＲ、Ｇ、Ｂガンマ基準電圧（Ｖ1R−Ｖ18R、Ｖ1G−Ｖ18G、Ｖ1B−Ｖ18B）をサンプル/ホールディング部２３０ｒ、２３０ｇ、２３０ｂに各々出力する。サンプル/ホールディング部２３０ｒ、２３０ｇ、２３０ｂで、サンプル/ホールド回路部[（２３１ｒ、２３２ｒ）、（２３１ｇ、２３２ｇ）、（２３１ｂ、２３２ｂ）]はサンプル/ホールド回路部２３１ｒ、２３１ｇ、２３１ｂの最終シフトレジスタ（Ｓ/Ｒ）の出力がサンプル/ホールド回路部２３２ｒ、２３２ｇ、２３２ｂのサンプル開始信号になるという点を除くと図８で説明したサンプル/ホールド回路部と同一である。
【００５２】
詳しく説明すると、サンプル/ホールド回路部２３１ｒはＤＡＣ２２０ｒから直列に出力されるＲガンマ基準電圧（Ｖ1R−Ｖ18R）のうち正極性のＲガンマ基準電圧（Ｖ1R−Ｖ9R）をサンプル開始信号によって順次にサンプリングしてデジタル−アナログ変換部６００に出力し、サンプル/ホールド回路部２３２ｒは負極性のＲガンマ基準電圧（Ｖ10R−Ｖ18R）をサンプル/ホールド回路部２３１ｒの最終シフトレジスタ（Ｓ/Ｒ）の出力によって順次にサンプリングしてデジタル−アナログ変換部６００に出力する。同様に、サンプル/ホールド回路部２３１ｇ、２３１ｂは各々正極性のＧ、Ｂガンマ基準電圧（Ｖ1G−Ｖ9G、Ｖ1B−Ｖ9B）をサンプル開始信号によって順次にサンプリングし、サンプル/ホールド回路部２３２ｇ、２３２ｂは各々負極性のＧ、Ｂガンマ基準電圧（Ｖ10G−Ｖ18B、Ｖ10B−Ｖ18B）をサンプル/ホールド回路部２３１ｇ、２３１ｂの最終シフトレジスタ（Ｓ/Ｒ）の出力によって順次にサンプリングする。
【００５３】
このように本発明の第５実施例によると、第４実施例に比べてＤＡＣの個数が半分に減る。そして、本発明の第５実施例ではＤＡＣをＲ、Ｇ、Ｂ別に具備したが、ＤＡＣを極性別に使用することもできる。以下ではこのような実施例について図１０を参照して説明する。
【００５４】
図１０は本発明の第６実施例によるガンマ基準電圧生成部を示す図面である。
【００５５】
図１０に示したように、本発明の第６実施例によるガンマ基準電圧生成部は本発明の第１実施例でのように正極性及び負極性ガンマ基準電圧生成部２１０、２４０を含む。正極性ガンマ基準電圧生成部２１０は1つのＤＡＣ２２０及びサンプル/ホールディング部２３０及び３つのサンプル/ホールド回路部２３１−２３３を含み、負極性ガンマ基準電圧生成部２４０は1つのＤＡＣ２５０及びサンプル/ホールディング部２６０を含む。サンプル/ホールディング部２３０、２６０は各々３つのサンプル/ホールド回路部２３１−２３３、２６１−２６３を含む。
【００５６】
ＤＡＣ２２０は正極性のＲ、Ｇ、Ｂデジタルガンマデータ（ＤV1R−ＤV9R、ＤV1G−ＤV9G、ＤV1B−ＤV9B）を直列に受信してガンマ基準電圧（Ｖ1R−Ｖ9R、Ｖ1G−Ｖ9G、Ｖ1B−Ｖ9B）に変換してサンプル/ホールディング部２３０に出力する。同様にＤＡＣ２５０は負極性のＲ、Ｇ、Ｂデジタルガンマデータ（ＤV10R−ＤV10R、ＤV10G−ＤV18G、ＤV10B−ＤV18B）を直列に受信してガンマ基準電圧（Ｖ10R−Ｖ18R、Ｖ10G−Ｖ18G、Ｖ10B−Ｖ18B）に変換してサンプル/ホールディング部２６０に出力する。
【００５７】
サンプル/ホールディング部２３０のサンプル/ホールド回路部２３１−２３３は各々正極性のＲ、Ｇ、Ｂガンマ基準電圧（Ｖ1R−Ｖ9R、Ｖ1G−Ｖ9G、Ｖ1B−Ｖ9B）をサンプリングするが、第５実施例で説明したようにサンプル/ホールド回路部２３１、２３２の最終シフトレジスタ（Ｓ/Ｒ）の出力が各々サンプル/ホールド回路部２３２、２３３のサンプル開始信号になるという点を除けば図８で説明したサンプル/ホールド回路部と同一である。同様にサンプル/ホールディング部２６０のサンプル/ホールド回路部２６１−２６３は各々負極性のＲ、Ｇ、Ｂガンマ基準電圧（Ｖ10R−Ｖ18R、Ｖ10G−Ｖ18G、Ｖ10B−Ｖ18B）をサンプリングする。
【００５８】
このように本発明の第６実施例によるガンマ基準電圧生成部によると、２つのＤＡＣだけを使用することができる。
【００５９】
一方、ガンマ基準電圧の極性とは関係なくＲ、Ｇ、Ｂ別ガンマ基準電圧発生のために1つのＤＡＣだけを使用することもできる。これについて図１１を参照して説明する。
【００６０】
図１１は本発明の第７実施例によるガンマ基準電圧生成部を示す図面である。
【００６１】
図１１に示したように、本発明の第７実施例によるガンマ基準電圧生成部２００は1つのＤＡＣ２２０及びサンプル/ホールディング部２３０を含み、サンプル/ホールディング部２３０は６つのサンプル/ホールド回路部２３１−２３３、２６１−２６３からなる。ＤＡＣ２２０は正極性及び負極性のＲ、Ｇ、Ｂデジタルガンマデータ（ＤV1R−ＤV9R、ＤV1G−ＤV9G、ＤV1B−ＤV9B、ＤV10R−ＤV18R、ＤV10G−ＤV18G、ＤV10B−ＤV18B）の提供を直列に受けて正極性及び負極性のＲ、Ｇ、Ｂガンマ基準電圧（Ｖ1R−Ｖ9R、Ｖ1G−Ｖ9G、Ｖ1B−Ｖ9B、Ｖ10R−Ｖ18R、Ｖ10G−Ｖ18G、Ｖ10B−Ｖ18B）に変換してサンプル/ホールディング部２３０に出力する。サンプル/ホールディング部２３０のサンプル/ホールド回路部２３１−２３３は第６実施例での説明と同様に、正極性のＲ、Ｇ、Ｂガンマ基準電圧（Ｖ1R−Ｖ9R、Ｖ1G−Ｖ9G、Ｖ1B−Ｖ9B）をサンプリングして、サンプル/ホールド回路部２３３の最終シフトレジスタの出力がサンプル/ホールド回路部２６１のサンプル開始信号となる。その後、サンプル/ホールド回路部２６１−２６３はこのサンプル開始信号によって負極性のＲ、Ｇ、Ｂガンマ基準電圧（Ｖ10R−Ｖ18R、Ｖ10G−Ｖ18G、Ｖ10B−Ｖ18B）をサンプリングする。
【００６２】
このように本発明の第７実施例によると、ガンマ基準電圧の発生のために1つのＤＡＣだけを使用することができる。
【００６３】
一方、第２及び第３実施例でガンマ基準電圧を生成するのにかかる時間は第１実施例に比べて各々３倍及び６倍長く、第４及び第５実施例は第１実施例に比べて各々９倍及び１８倍長い。第７実施例では第１実施例に比べて５４倍の時間がかかる。
【００６４】
1つのＤＡＣがガンマ基準電圧を生成するのに１μｓ程度かかるとする時、図５は変換するのに１μｓかかる反面、図１３の場合は５４μｓかかる。この程度の時間は映像信号のフレーム間のデータがないブランク（ｂｌａｎｋ）期間より短い時間であるので画面を表示するのには問題がない。
【００６５】
しかし、このような時間が問題になる場合には、図１２に示したサンプル/ホールド回路部（Ｓ/ＨIII）を用いることで時間を短縮することができる。
【００６６】
図１２は本発明の他の実施例によるサンプル/ホールド回路部（Ｓ/ＨIII）を示す図面である。
【００６７】
図１２に示したように、サンプル/ホールド回路部（Ｓ/ＨIII）はＤＡＣの出力端に連結された９つのサンプル/ホールド回路からなり、サンプル/ホールド回路はスイッチ（ＳＷ）、シフトレジスタ（Ｓ/Ｒ）、キャパシタ（Ｃ１、Ｃ２）、アナログバッファ（ｂｕｆ）、入力及び出力スイッチ（Ｓ１、Ｓ２）を含む。スイッチ（ＳＷ）はサンプル開始信号によってＤＡＣから入力されるガンマ基準電圧が伝達されるように動作し、シフトレジスタ（Ｓ/Ｒ）はサンプル開始信号を次のサンプル/ホールド回路に伝達する。キャパシタ（Ｃ１、Ｃ２）は第１及び第２経路に連結されて第１及び第２経路に沿って伝達されたガンマ基準電圧を充電し、アナログバッファ（ｂｕｆ）はキャパシタ（Ｃ１、Ｃ２）に充電されたガンマ基準電圧をデジタル−アナログ変換部６００に出力する。この時、入力スイッチ（Ｓ１）はスイッチ（ＳＷ）と第１及び第２経路の間に連結されて選択信号によって第１及び第２経路の間を転換し、出力スイッチ（Ｓ２）は第１及び第２経路とアナログバッファの間に連結されて選択信号によって第１及び第２経路の間を切換する。
【００６８】
このようなサンプル/ホールド回路部（Ｓ/ＨIII）ではシフトレジスタ（Ｓ/Ｒ）を通じてサンプル開始信号が伝えられることによって、1つの端子から入力されるガンマ基準電圧が順次に出力される。
【００６９】
このようなサンプル/ホールド回路部（Ｓ/ＨIII）の動作を説明する。
【００７０】
現在のガンマ電圧がキャパシタ（Ｃ２）に保存されている時、変更されるガンマ基準電圧をキャパシタ（Ｃ１）に保存し全ての変更されたガンマ基準電圧がキャパシタ（Ｃ１）に該当する停電容量に保存された後、選択信号を変えてキャパシタ（Ｃ１）のガンマ基準電圧を出力すると、ガンマ基準電圧は非常に短時間に変わる。この状態を維持して、ガンマ基準電圧が変わると新たなガンマ基準電圧をキャパシタ（Ｃ２）に保存し、保存終了後にキャパシタ（Ｃ２）に充電されたガンマ基準電圧を出力すればよい。
【００７１】
そして、このようなサンプル/ホールド回路（Ｓ/ＨIII）は前述した実施例及び後述する実施例でのサンプル/ホールド回路（Ｓ/ＨII、Ｓ/ＨII’）の代りに使用することができる。
【００７２】
以上ではガンマ基準電圧をデータドライバ１０内部で生成して、ガンマ基準電圧生成のためのＤＡＣが占める面積を減らすための様々な実施例について説明した。
【００７３】
一方、ガンマ基準電圧生成のためのＤＡＣをデータドライバ１０から離隔して具現することもでき、これについては図１３乃至図１８を参照して簡略に説明する。
【００７４】
図１３は本発明の第８実施例によるガンマ基準電圧生成部を示す図面である。
【００７５】
図１３を参照すると、本発明の第８実施例はタイミング制御部から各々正極性及び負極性のデジタルガンマデータ[（ＤV1R−ＤV9R、ＤV1G−ＤV9G、ＤV1B−ＤV9B）、（ＤV10R−ＤV18R、ＤV10G−ＤV18G、ＤV10B−ＤV18B）]を受信して正極性及び負極性のガンマ基準電圧[（Ｖ1R−Ｖ9R、Ｖ1G−Ｖ9G、Ｖ1B−Ｖ9B）、（Ｖ10R−Ｖ18R、Ｖ10G−Ｖ18G、Ｖ10B−Ｖ18B）]を生成する正極性及び負極性ガンマ基準電圧出力部２２０、２５０がデータドライバ１０外部に形成されているという点を除くと第２実施例と同一である。
【００７６】
このような正極性及び負極性ガンマ基準電圧出力部２２０、２５０は各々多重チャンネル方式のデジタル−アナログ変換器からなり、各々正極性及び負極性のＲ、Ｇ、Ｂガンマ基準電圧[（Ｖ1R−Ｖ9R、Ｖ1G−Ｖ9G、Ｖ1B−Ｖ9B）、（Ｖ10R−Ｖ18R、Ｖ10G−Ｖ18G、Ｖ10B−Ｖ18B）]をＲ、Ｇ、Ｂ別に時分割して出力する。そして、正極性及び負極性ガンマ基準電圧出力部２２０、２５０から各々正極性及び負極性のＲ、Ｇ、Ｂガンマ基準電圧を受信してサンプリングするサンプル/ホールディング部２３０、２６０がデータドライバ１０内に形成されている。このようなサンプル/ホールディング部２３０、２６０は第１実施例のサンプル/ホールディング部２３０、２６０と同一である。
【００７７】
本発明の第８実施例では、データドライバ１０の外部に極性別に分離された多重チャンネル方式のデジタル−アナログ変換器を２つを備えるが、図１４に示したように極性と関係なく1つのデジタル−アナログ変換器を使用することもできる。
【００７８】
図１４は本発明の第９実施例によるガンマ基準電圧生成部を示す図面である。
【００７９】
図１４に示したように、本発明の第９実施例はタイミング制御部からデジタルガンマデータ（ＤV1R−ＤV9R、ＤV1G−ＤV9G、ＤV1B−ＤV9B、ＤV10R−ＤV18R、ＤV10G−ＤV18G、ＤV10B−ＤV18B）を受信してガンマ基準電圧（Ｖ1R−Ｖ9R、Ｖ1G−Ｖ9G、Ｖ1B−Ｖ9B、Ｖ10R−Ｖ18R、Ｖ10G−Ｖ18G、Ｖ10B−Ｖ18B）を生成するガンマ基準電圧出力部２２０がデータドライバ１０外部に形成されているという点を除くと第３実施例と同一である。
【００８０】
このようなガンマ基準電圧出力部２２０は多重チャンネル方式のデジタル−アナログ変換器からなり、正極性及び負極性のＲ、Ｇ、Ｂガンマ基準電圧（Ｖ1R−Ｖ9R、Ｖ1G−Ｖ9G、Ｖ1B−Ｖ9B、Ｖ10R−Ｖ18R、Ｖ10G−Ｖ18G、Ｖ10B−Ｖ18B）を各々Ｒ、Ｇ、Ｂ別に時分割してサンプル/ホールド回路部２３１−２３３、２６１−２６３に出力する。そして、正極性及び負極性のＲ、Ｇ、Ｂガンマ基準電圧を各々受信してサンプリングするサンプル/ホールド回路部２３１−２３３、２６１−２６３がデータドライバ１０内に形成されている。このようなサンプル/ホールド回路部２３１−２３３、２６１−２６３は第２実施例のサンプル/ホールド回路部２３１−２３３、２６１−２６３と同一である。
【００８１】
図１５を見ると、本発明の第１０実施例はタイミング制御部とデジタルインターフェースを通じて正極性及び負極性のデジタルガンマデータを各々受信して正極性及び負極性のガンマ基準電圧を各々生成する正極性及び負極性ガンマ基準電圧出力部２２０、２５０を除けば第４実施例と同一である。
【００８２】
正極性及び負極性ガンマ基準電圧出力部２２０、２５０は各々正極性及び負極性のＲ、Ｇ、Ｂガンマ基準電圧をＲ、Ｇ、Ｂ別に直列化してデータドライバ１０内のサンプル/ホールディング部２３０、２６０に提供する。このようなサンプル/ホールディング部２３０、２６０は第４実施例のサンプル/ホールディング部２３０、２６０と同一である。
【００８３】
図１６を見ると、本発明の第１１実施例はタイミング制御部とデジタルインターフェースを通じてデジタルガンマデータを受信してガンマ基準電圧を生成するガンマ基準電圧出力部２２０を除けば第５実施例と同一である。ガンマ基準電圧出力部２２０はガンマ基準電圧をＲ、Ｇ、Ｂ別に各々直列化してデータドライバ１０内のサンプル/ホールディング部２３０ｒ、２３０ｇ、２３０ｂに出力する。このようなサンプル/ホールディング部２３０ｒ、２３０ｇ、２３０ｂは第５実施例のサンプル/ホールディング部２３０ｒ、２３０ｇ、２３０ｂと同一である。
【００８４】
図１７を見ると、本発明の第１２実施例はタイミング制御部とデジタルインターフェースを通じて正極性及び負極性のデジタルガンマデータを各々受信して正極性及び負極性ガンマ基準電圧を各々生成する正極性及び負極性ガンマ基準電圧出力部２２０、２５０を除けば第６実施例と同一である。正極性及び負極性ガンマ基準電圧出力部２２０、２５０は各々正極性及び負極性のＲ、Ｇ、Ｂガンマ基準電圧を直列化してデータドライバ１０内のサンプル/ホールディング部２３０、２６０に出力する。このようなサンプル/ホールディング部２３０、２６０は第６実施例のサンプル/ホールディング部２３０、２６０と同一に各々３つのサンプル/ホールド回路部２３１−２３３、２６１−２６３を含む。
【００８５】
図１８を見ると、本発明の第１３実施例はタイミング制御部とデジタルインターフェースを通じてデジタルガンマデータを受信してガンマ基準電圧を生成するガンマ基準電圧出力部２２０を除けば第７実施例と同一である。ガンマ基準電圧出力部２２０は正極性及び負極性のＲ、Ｇ、Ｂガンマ基準電圧を直列化して1つの出力を通じてデータドライバ１０内のサンプル/ホールディング部２３０に出力する。このようなサンプル/ホールディング部２３０は第７実施例と同一に６つのサンプル/ホールド回路部２３１−２３３、２６１−２６３を含む。
【００８６】
前記には本発明の好ましい実施例を参照して説明したが、該当技術分野の熟練した当業者は前記の特許請求の範囲に記載された本発明の思想及び領域から逸脱しない範囲内で本発明を多様に修正及び変更することができることを理解できる。
【産業上の利用可能性】
【００８７】
本発明は液晶表示装置及びその駆動装置に利用することができる。
【符号の説明】
【００８８】
１０      データドライバ
１００    ガンマレジスタ
２００    ガンマ基準電圧生成部
２１０    正極性ガンマ基準電圧生成部
２２０、２５０    ＤＡＣ部
２３０、２６０    サンプル/ホールディング部
２４０    負極性ガンマ基準電圧生成部
３００    シフトレジスタ
４００    データレジスタ
５００    データラッチ
６００    デジタル−アナログ変換部
７００    出力バッファ
【図２】
0005581279.tif 000002
【図３】
0005581279.tif 000003
【図４】
0005581279.tif 000004
【図５】
0005581279.tif 000005
【図６】
0005581279.tif 000006
【図７】
0005581279.tif 000007
【図８】
0005581279.tif 000008
【図９】
0005581279.tif 000009
【図１０】
0005581279.tif 000010
【図１１】
0005581279.tif 000011
【図１２】
0005581279.tif 000012
【図１３】
0005581279.tif 000013
【図１４】
0005581279.tif 000014
【図１５】
0005581279.tif 000015
【図１６】
0005581279.tif 000016
【図１７】
0005581279.tif 000017
【図１８】
0005581279.tif 000018
【図１】
0005581279.tif 000019